(57)【要約】【課題】動物を安楽死処分するにあたり、対象となる動物によって炭酸ガスのみによる処分、麻酔ガスのみによる処分、麻酔ガスと炭酸ガスとの併用による処分の三種類の処分方法を適宜選択することができる動物用安楽死処分装置を提供する。【解決手段】動物用安楽死処分装置は、処分室(12)と、処分室(12)を加温する処分室用ヒータと、処分室(12)に炭酸ガスを供給する炭酸ガスボンベ(4)と、処分室(12)に麻酔ガスを供給する気化器(C)と、処分室(12)に空気を供給する空気供給路(33)と、炭酸ガス、麻酔ガス及び空気の供給制御を行う制御手段とを備え、制御手段は処分室(12)に炭酸ガスのみを供給するモード、処分室(12)に麻酔ガスを供給し、その後炭酸ガスを供給するモード、処分室(12)に麻酔ガスのみを供給するモードの制御を含んでいる。【選択図】図４
2013099296.tif 000002
【特許請求の範囲】
【請求項１】
動物用安楽死処分装置であって、
処分室と、
当該処分室を加温する処分室用ヒータと、
前記処分室に炭酸ガスを供給する炭酸ガス供給部と、
前記処分室に麻酔ガスを供給する麻酔ガス供給部と、
前記処分室に空気を供給する空気供給部と、
前記炭酸ガス、麻酔ガス、空気の供給制御を行う制御手段と、
を備え、
前記制御手段は、
前記処分室に炭酸ガスのみを供給するモード、
前記処分室に麻酔ガスを供給し、その後炭酸ガスを供給するモード、
前記処分室に麻酔ガスのみを供給するモード、
の制御を含む、
動物用安楽死処分装置。
【請求項２】
処分室用ヒータは、処分室の内面全体を加温するものである、
請求項１記載の動物用安楽死処分装置。
【請求項３】
麻酔ガスを処分室及び供給経路で循環させて麻酔ガスの濃度を平均化する循環手段と、処分室及び供給経路で循環する麻酔ガスの温度を前記処分室内を含む循環経路中で凝縮しない温度の範囲で維持する処分室用ヒータを含む温度維持手段を備えている、
請求項１又は２記載の動物用安楽死処分装置。
【請求項４】
処分対象となる動物を収容して、処分室に出し入れする動物収容ケージを備えている、
請求項１、２又は３記載の動物用安楽死処分装置。
【請求項５】
使用した麻酔ガスを処分室から取り出して麻酔ガスから麻酔剤を回収する麻酔剤回収装置を接続する手段を備えている、
請求項１、２、３又は４記載の動物用安楽死処分装置。
【請求項６】
処分室の上に、炭酸ガス供給部、麻酔ガス供給部、空気供給部及び制御手段を備え、炭酸ガス、麻酔ガス及び空気は、処分室の天井部から処分室内に送られる、
請求項１、２、３、４又は５記載の動物用安楽死処分装置。
【請求項７】
動物を処分室内で安楽死処分する方法であって、
処分室内で炭酸ガスを使用する方法、処分室内で麻酔ガスを使用する方法、または処分室内で炭酸ガスと麻酔ガスを使用する方法の中からいずれか一つを選択し、
麻酔ガスを使用する場合は、麻酔ガスを処分室及び供給経路で循環させて濃度を平均化させ、処分室用ヒータと協働して前記麻酔ガスが前記処分室内を含む循環経路中で凝縮しない温度の範囲で維持し、
炭酸ガスと麻酔ガスを使用する場合は、先に麻酔ガスを使用して動物の意識を消失させた後に炭酸ガスを使用する、
動物を処分室内で安楽死処分する方法。
【発明の詳細な説明】
【技術分野】
【０００１】
本発明は、動物用安楽死処分装置及び動物を処分室内で安楽死処分する方法に関するものである。更に詳しくは、野犬等の動物を安楽死処分するにあたり、例えば対象となる動物によって、麻酔ガスのみによる処分、炭酸ガスのみによる処分、あるいは麻酔ガスと炭酸ガスとの併用による処分の三種類の処分方法を適宜選択することができ、処分方法の変更等に柔軟に対応できるものに関する。
【背景技術】
【０００２】
自治体で野犬等の動物の安楽死処分をする場合は、炭酸ガスによる処分、薬剤等の注射又は薬剤等を餌に混ぜて与えることによる処分が一般的に採用されている。この中で、前記薬剤等を使用した方法は、作業性や衛生面又は作業者の安全面において課題があることから炭酸ガスによる処分のみを行う自治体がある一方で、炭酸ガスによる処分が動物に苦痛を与えるという理由から、やむなく炭酸ガスによる処分を行わず、薬剤等を使用した注射等による処分、又は高コストではあるが麻酔ガスによる処分を行う自治体もあり、自治体により様々な方法が採用されている。
【０００３】
さらに、自治体によっては、外来種（アライグマ等、ペットとして飼われていた動物が野生化したもの等）は経費が安価な炭酸ガスで処分する等、処分の対象となる動物の種類によって処分方法を変えているところもある。
【０００４】
このように、動物用安楽死処分装置の処分方式は様々であり、例えば炭酸ガスを使用した処分を行う装置としては、本願発明者が提案した特許文献１に開示された動物処分装置がある。また、例えば特許文献２に開示された動物用安楽死装置のように、麻酔ガスと炭酸ガスを併用して処分を行う装置も開示されている。
【０００５】
特許文献１に記載の「動物処分装置」は、ガス供給装置と、動物処分機と、ガス精製装置から構成されている。動物処分機に収容した犬や猫などの小動物を、ガス供給装置から供給された炭酸ガスを利用して安楽死させ、炭酸ガスは、ガス精製装置によって精製された後、再利用され、炭酸ガスを大気中に排出せずに、有効に再利用できるようにするというものである。
【０００６】
また、特許文献２に記載の「動物用安楽死装置」は、動物を所定容積の処分室内に収容し、処分室内に麻酔液気化器により所定の速度で気化された麻酔ガスを供給して、動物に麻酔ガスを吸入させることによって麻酔をかけた後、処分室内を酸欠状態にして動物を安楽死させる動物用安楽死装置であって、麻酔薬を効率的に、且つそれぞれの対象動物に適した容量を使用することで、動物が意識を消失するまでの苦痛及び殺処分時の苦しみを最小限に抑えることができるというものである。
【先行技術文献】
【特許文献】
【０００７】
【特許文献１】特開２００３−３８０９０号公報
【０００８】
【特許文献２】特開２００７−６０９２５号公報
【発明の概要】
【発明が解決しようとする課題】
【０００９】
しかしながら、前記特許文献１及び特許文献２には、次のような課題があった。
すなわち、従来の処分装置は、機能的に専用型であり、特定の方法による安楽死処分しかできない。したがって、例えば処分対象となる動物によって処分方法を変更するような場合は対応ができない。また、このような処分方法の変更に対応するには、それぞれ処分方法が異なる専用の装置を導入する必要があり、設備費用が高額となってしまうため、自治体等での導入には困難が伴う課題があった。
【００１０】
また、処分装置で麻酔薬を使用する場合は、動物を速やかに処分するために、麻酔ガスを生成するときに麻酔ガスの濃度を全体に平均化しながら所要の濃度まで速やかに上げる必要がある。しかし、麻酔薬は、動物の処分に対応した濃度を維持しながら温度の管理を行わないと、麻酔薬が凝縮して液化してしまうことがある。
【００１１】
しかしながら、前記特許文献２に記載の動物用安楽死装置では、処分室にヒータがないことに加え、処分室内の雰囲気は単にファンで撹拌する構造であり、処分室内及び供給経路中において麻酔ガスを所要の濃度及び温度に維持する管理は難しい。このため、麻酔薬が液化し、処分室を含む経路に付着することにより麻酔ガスの濃度が低下し、動物が安楽死に至らなくなる課題があった。
【００１２】
（本発明の目的）
本発明は、動物を安楽死処分するにあたり、例えば対象となる動物によって、炭酸ガスのみによる処分、麻酔ガスのみによる処分、あるいは麻酔ガスと炭酸ガスとの併用による処分の三種類の処分方法を適宜選択することができ、処分方法の変更等に柔軟に対応できる動物用安楽死処分装置及び動物を処分室内で安楽死処分する方法を提供することを目的とする。
【００１３】
また、本発明の他の目的は、前記目的に加えて、処分室内及び経路中の麻酔ガスの濃度を、動物の処分に対応した所要濃度で平均化して動物を速やかに処分できるようにすると共に、麻酔ガスを所要の温度の範囲で維持できるようにして処分室内及び経路中で麻酔ガス中の麻酔剤（麻酔薬）が凝縮することを防止できるようにすることである。
【課題を解決するための手段】
【００１４】
上記課題を解決するために本発明が講じた手段は次のとおりである。
（１）本発明は、
動物用安楽死処分装置であって、
処分室と、
当該処分室を加温する処分室用ヒータと、
前記処分室に炭酸ガスを供給する炭酸ガス供給部と、
前記処分室に麻酔ガスを供給する麻酔ガス供給部と、
前記処分室に空気を供給する空気供給部と、
前記炭酸ガス、麻酔ガス、空気の供給制御を行う制御手段と、
を備え、
前記制御手段は、
前記処分室に炭酸ガスのみを供給するモード、
前記処分室に麻酔ガスを供給し、その後炭酸ガスを供給するモード、
前記処分室に麻酔ガスのみを供給するモード、
の制御を含む、
動物用安楽死処分装置である。
【００１５】
（２）本発明は、
処分室用ヒータは、処分室の内面全体を加温するものである、
前記（１）の動物用安楽死処分装置である。
【００１６】
（３）本発明は、
麻酔ガスを処分室及び供給経路で循環させて麻酔ガスの濃度を平均化する循環手段と、処分室及び供給経路で循環する麻酔ガスの温度を前記処分室内を含む循環経路中で凝縮しない温度の範囲で維持する処分室用ヒータを含む温度維持手段を備えている、
前記（１）又は（２）の動物用安楽死処分装置である。
【００１７】
（４）本発明は、
処分対象となる動物を収容して、処分室に出し入れする動物収容ケージを備えている、
前記（１）、（２）又は（３）の動物用安楽死処分装置である。
【００１８】
（５）本発明は、
使用した麻酔ガスを処分室から取り出して麻酔ガスから麻酔剤を回収する麻酔剤回収装置を接続する手段を備えている、
前記（１）、（２）、（３）又は（４）の動物用安楽死処分装置である。
【００１９】
（６）本発明は、
処分室の上に、炭酸ガス供給部、麻酔ガス供給部、空気供給部及び制御手段を備え、炭酸ガス、麻酔ガス及び空気は、処分室の天井部から処分室内に送られる、
前記（１）、（２）、（３）、（４）又は（５）の動物用安楽死処分装置である。
【００２０】
（７）本発明は、
動物を処分室内で安楽死処分する方法であって、
処分室内で炭酸ガスを使用する方法、処分室内で麻酔ガスを使用する方法、または処分室内で炭酸ガスと麻酔ガスを使用する方法の中からいずれか一つを選択し、
麻酔ガスを使用する場合は、麻酔ガスを処分室及び供給経路で循環させて濃度を平均化させ、処分室用ヒータと協働して前記麻酔ガスが前記処分室内を含む循環経路中で凝縮しない温度の範囲で維持し、
炭酸ガスと麻酔ガスを使用する場合は、先に麻酔ガスを使用して動物の意識を消失させた後に炭酸ガスを使用する、
動物を処分室内で安楽死処分する方法である。
【００２１】
（作用）
本発明に係る動物用安楽死処分装置の作用を説明する。
まず、動物用安楽死処分装置の処分室に安楽死処分の対象となる動物を収容する。
そして、動物を炭酸ガスのみで処分する場合は、制御手段による制御によって炭酸ガス供給部から処分室内に所要濃度の炭酸ガスを供給路を通し供給して、処分室内の動物の安楽死処分を行う。
【００２２】
また、麻酔ガスと炭酸ガスを併用して処分する場合は、まず、制御手段による制御によって麻酔ガス供給部から処分室内に所要濃度の麻酔ガスを供給路を通し供給して処分室内の動物の意識を消失させ、その後、制御手段による制御によって炭酸ガス供給部から処分室内に所要濃度の炭酸ガスを供給路を通し供給し、処分室内の動物の安楽死処分を行う。
【００２３】
さらに、動物を麻酔ガスのみで処分する場合は、制御手段による制御によって麻酔ガス供給部から処分室内に所要濃度の麻酔ガスを供給路を通し供給して処分室内の動物の安楽死処分を行う。
【００２４】
このように、野犬等の動物を安楽死処分するにあたり、例えば対象となる動物によって、炭酸ガスのみによる処分、麻酔ガスと炭酸ガスとの併用による処分、あるいは麻酔ガスのみによる処分の三種類の処分方法を適宜選択することができる。
【００２５】
麻酔ガスを処分室及び供給経路で循環させて麻酔ガスの濃度を平均化する循環手段と、処分室及び供給経路で循環する麻酔ガスの温度を前記処分室内を含む循環経路中で凝縮しない温度の範囲で維持する処分室用ヒータを含む温度維持手段を備えているものは、処分室内及び経路中の麻酔ガスの濃度を、動物の処分に対応した所要濃度で平均化して動物を速やかに処分することができると共に、麻酔ガスを所要の温度の範囲で維持することにより、処分室内及び経路中で麻酔ガス中の麻酔剤が凝縮することを防止できる。
【００２６】
処分対象となる動物を収容して、処分室に出し入れする動物収容ケージを備えているものは、動物を処分する前にあらかじめ動物収容ケージに収容しておき、動物を処分する際には動物収容ケージごと移動させるだけで処分室内に収容できるようにすることで、動物を処分装置に収容する際に動物が興奮したり暴れたりすることにより作業員が怪我をする危険を緩和できる。
また、動物を動物収容ケージに収容しておくことで、動物が処分される際、死に至るまでに排泄する糞尿の清掃、処理がしやすいので、処分場の衛生上、好ましい。
【００２７】
使用した麻酔ガスを処分室から取り出して麻酔ガスから麻酔剤を回収する麻酔剤回収装置を接続する手段を備えているものは、麻酔剤回収装置を接続することにより、麻酔ガスを大気中に放出しないようにする運転が可能になると共に麻酔剤の再利用も可能となるので、環境にかかる負荷を最小限に抑えることができる。
【００２８】
処分室の上に、炭酸ガス供給部、麻酔ガス供給部、空気供給部及び制御手段を備え、炭酸ガス、麻酔ガス及び空気は、処分室の天井部から処分室内に送られるものは、各ガスが底部側から送られる場合と比較して、処分室にガスを注入する初期段階で室内に拡散しやすくなり、ガス濃度の平均化を効率よく行うことができる。
【発明の効果】
【００２９】
本発明は、動物を安楽死処分するにあたり、例えば対象となる動物によって、炭酸ガスのみによる処分、麻酔ガスと炭酸ガスとの併用による処分あるいは麻酔ガスのみによる処分の三種類の処分方法を適宜選択することができるので、処分方法の変更等に柔軟に対応できる動物用安楽死処分装置及び動物を処分室内で安楽死処分する方法を提供することができる。
【００３０】
また、本発明は、麻酔ガスを処分室及び供給経路で循環させて麻酔ガスの濃度を平均化する循環手段を備えると共に、処分室用ヒータにより処分室及び供給経路で循環する麻酔ガスの温度を処分室内を含む循環経路中で凝縮しない温度の範囲で維持できるので、処分室内及び経路中の麻酔ガスの濃度を、動物の処分に対応した所要濃度で平均化して動物を速やかに処分することができると共に、麻酔ガスを所要の温度の範囲で維持することにより、処分室内及び経路中で麻酔ガス中の麻酔剤が凝縮することを防止できる。
【図面の簡単な説明】
【００３１】
【図１】本発明に係る動物用安楽死処分装置の本体の扉を開けて収容ケージを外に出した状態の斜視説明図。
【図２】図１に示す動物用安楽死処分装置を示し、（ａ）は正面視説明図、（ｂ）は右側面視説明図、（ｃ）は左側面視説明図。
【図３】動物用安楽死処分装置で炭酸ガスのみで処分を行う場合の制御フロー図。
【図４】運転準備をしている状態を示す説明図。
【図５】炭酸ガスを処分室へ注入している状態を示す説明図。
【図６】炭酸ガス注入後の放置状態を示す説明図。
【図７】処分室内の炭酸ガスを空気と置換している状態を示す説明図。
【図８】動物用安楽死処分装置で麻酔ガスと炭酸ガスを併用して処分を行う場合の制御フロー図。
【図９】運転準備をしている状態を示す説明図。
【図１０】麻酔ガスを処分室へ注入している状態を示す説明図。
【図１１】麻酔ガス注入後の放置状態を示す説明図。
【図１２】炭酸ガスを処分室へ注入している状態を示す説明図。
【図１３】炭酸ガス注入後の放置状態を示す説明図。
【図１４】処分室内の麻酔ガスと炭酸ガスを空気と置換している状態を示す説明図。
【図１５】動物用安楽死処分装置で麻酔ガスのみで処分を行う場合の制御フロー図。
【図１６】運転準備をしている状態を示す説明図。
【図１７】麻酔ガスを処分室へ注入している状態を示す説明図。
【図１８】麻酔ガス注入後の放置状態を示す説明図。
【図１９】処分室内の麻酔ガスを空気と置換している状態を示す説明図。
【発明を実施するための形態】
【００３２】
〔実施の形態〕
【００３３】
本発明を図面に示した実施の形態に基づき詳細に説明する。
図１及び図２を参照する。
【００３４】
動物用安楽死処分装置Ａは、自治体等において、野犬等の動物を安楽死処分するにあたり、処分室に炭酸ガスのみを注入して処分するモード<Ｍ１>、処分室に麻酔ガスを注入後に炭酸ガスを注入して処分するモード<Ｍ２>及び処分室に麻酔ガスのみを注入して処分するモード<Ｍ３>の三種類のモードを適宜切り替えることができる装置である。
【００３５】
本実施の形態に係る動物用安楽死処分装置Ａは、装置本体１と装置本体１に収容される動物収容ケージ２で構成されている。装置本体１は、上部の制御室１０と下部の処分室１２及び制御室１０の正面側に設けられている制御盤１１を有している。処分室１２の底部の四隅には、キャスター１４が取り付けられている。
【００３６】
なお、制御盤１１には、後記主ブレーカー、スタートスイッチ、置換スタートスイッチ等の操作系統の他、リレー等を含む制御部（何れも図示、符号を省略）が設けられている。また、動物用安楽死処分装置Ａは、処分室１２と後記制御機器３を一体的に設けて比較的小型に形成されており、キャスター１４を備えていることによって設置場所を移動することが比較的容易にできる。
【００３７】
制御室１０の内部には、制御手段を構成する後記制御機器３（後記、図４等参照）が内蔵されており、側部には、内部の制御機器３のメンテナンスを行うための点検蓋１０１が設けられている。制御室１０の内部は、処分室１２とは区画され、後記する各供給路による炭酸ガス、麻酔ガス、あるいは空気等のガスの流通を除いて、処分室１２に対して気密状態が保たれるようになっている。
【００３８】
処分室１２の内部は、動物収容ケージ２を収容することができる大きさ（容積）の収容空間１２０となっている。処分室１２の一方側の側壁には、覗き窓１２１が設けられている。また、処分室１２の正面側は、全部が開口されている。処分室１２の正面側には、開口部（符号省略）を開閉する処分室扉１３が水平方向に開閉動ができるように、一方の側板（符号省略）にヒンジ着されている。
【００３９】
収容空間１２０を囲み処分室１２を形成する六面（底面板、天面板、両側面板、背面板及び前記処分室扉１３）の内部には、処分室用ヒータ１２６（図４等に系統図として図示し、図１、図２には図示していない）が、ほぼ全体に敷設（配置）されている。
【００４０】
処分室扉１３は、三箇所に設けられた扉固定具１３０によって、閉じた状態で固定することができる。また、処分室扉１３の内面側には、全周にわたりパッキン１３１が取り付けられており、処分室扉１３を閉じて各扉固定具１３０によって固定した状態では、処分室扉１３内面のパッキン１３１が、処分室１２の開口縁部と密着して、図示していない他の気密構造と協働することにより、収容空間１２０の気密状態を維持できるようになっている。
【００４１】
前記動物収容ケージ２は、装置本体１の収容空間１２０に収容できるように、収容空間１２０の容積よりやや小さい外形で形成されている。動物収容ケージ２は、ケージ本体２０を有している。ケージ本体２０の底部の四隅には、キャスター２２が取り付けられている。ケージ本体２０の正面側には、開閉扉２１により開閉できる出入口（符号省略）が形成されている。また、ケージ本体２０の上部には上板２３が取り付けられている。
【００４２】
制御室１０の内部には、前記したように制御機器３が内蔵されている。制御機器３は、処分室１２の内部（収容空間１２０）に、各設定モードの切り替えによって、炭酸ガス、麻酔ガスあるいは空気（外気）の注入及び排出等を行う機器である。なお、制御機器３を処分室１２の上部に一体的に造り付けることによって、スペース効率が高まり、装置本体１全体を小型化することができる。
【００４３】
ここで、図１、図２及び図４等を参照して、制御機器３をさらに詳細に説明する。
制御室１０の外壁部（符号省略）には、炭酸ガス供給口３１２、排気接続口３６０、排気接続口３６１、外気導入口３３３及び残気接続口３６２が設けられている。また、処分室１２の収容区間１２０の天井板１２３には、炭酸ガス導入口１２７、吸気口１２８、調圧口１２２及び麻酔ガス導入口１２９が設けられている。
【００４４】
また、処分室１２は、処分室内温度センサ１２４、処分室内温度調節計１２５及び前記のように底面板、天面板、両側面板、背面板及び処分室扉１３の処分室用ヒータ１２６を備えており、処分室１２内の雰囲気及び処分室１２内及び供給経路を通るガスの温度を適温に調節することができるようにしている。処分室内温度センサ１２４は、処分室用ヒータ１２６、その温度制御部（図示省略）及び後記気化器ヒータ３２８と共に、少なくとも処分室１２及び供給経路で循環する麻酔ガスの温度を処分室１２内を含む循環経路中で凝縮しない温度の範囲で維持する温度維持手段を構成する。なお、場合によっては他の加温手段を採用することもできる。
【００４５】
炭酸ガス導入口１２７と炭酸ガス供給口３１２の間には、炭酸ガス供給路３１が設けられている。炭酸ガス供給路３１の経路中には、炭酸ガス供給口３１２に近い側から順に、炭酸ガス圧力調節弁３１３及び炭酸ガス注入弁３１０が設けられている。なお、炭酸ガス供給口３１２には、炭酸ガス供給路３１と共に炭酸ガス供給部を構成する炭酸ガスボンベ４が直接又は間接的に接続されるようになっている。
【００４６】
制御室１０内には、送風機（ブロワ）３７０が配置されている。吸気口１２８と送風機３７０の吸引側の間には、吸気路３７が設けられている。また、制御室１０内には、送風機３７０、後記麻酔ガス供給路３２ｂと共に麻酔ガス供給部を構成する気化器Ｃの麻酔剤タンク３２３が配置されている。麻酔剤タンク３２３と送風機３７０の吐出側の間には、送風路３２ａが設けられている。送風路３２ａの経路中には、送風機３７０に近い側から順に、送風機出口弁３７１及び気化器入口弁３２１が設けられている。
【００４７】
麻酔剤タンク３２３と処分室１２の麻酔ガス導入口１２９の間には、麻酔ガス供給路３２ｂが設けられている。麻酔ガス供給路３２ｂの経路中には、気化器出口弁３２２が設けられている。なお、麻酔剤タンク３２３には、麻酔剤タンク液面センサ３２４、麻酔剤タンク液面指示計３２５、麻酔剤タンク温度センサ３２６、麻酔剤タンク温度調節計３２７及び麻酔剤タンク３２３と共に気化器Ｃを構成する気化器ヒータ３２８が設けられている。なお、符号３２９は、麻酔剤タンク３２３内の麻酔剤の液量を外部から目視できる麻酔剤タンク液面計３２９である。
【００４８】
外気導入口３３３と処分室１２の麻酔ガス導入口１２９の間には、空気供給部を構成する空気供給路３３が設けられている。空気供給路３３は、前記送風路３２ａと麻酔ガス供給路３２ｂと経路を一部同じくしている。空気供給路３３において、外気導入口３３３から送風路３２ａにつながるまでの経路中には、外気導入口３３３に近い側から順に、装置内に空気が入る際の音を小さくするための消音器３３４及び処分室内吸気弁３３０が設けられている。
【００４９】
空気供給路３３において、送風路３２ａの気化器入口弁３２１より上流側と、麻酔ガス供給路３２ｂの気化器出口弁３２２の下流側につながる気化器バイパス経路３３ａ中には、気化器バイパス弁３３２が設けられている。また、送風路３２ａにおいて、気化器入口弁３２１より下流側からは、ガス放出路３９が分岐されており、ガス放出路３９の先端には麻酔剤タンク上部放出弁３９０が設けられている。
【００５０】
処分室１２の調圧口１２２には、先端が大気に開放された処分室内圧調整路３４が接続されている。処分室内圧調整路３４の経路中には、均圧調整用弁３４０が設けられている。
また、送風路３２ａにおいて、送風機出口弁３７１より上流側には、先端が大気に開放されたガス排出路３５が接続されている。ガス排出路３５の経路中には、排気弁３５０が設けられている。
【００５１】
処分室内圧調整路３４の経路中において、均圧調整用弁３４０より調圧口１２２に近い側と排気接続口３６１の間には、ガス回収排出路３６ａが設けられている。ガス排出路３５の経路中において、排気弁３５０より送風機３７０に近い側と排気接続口３６０の間には、ガス回収強制排出路３６ｂが設けられている。また、空気供給路３３において気化器バイパス弁３３２より下流側と残気接続口３６２との間には、回収残ガス導入路３６ｃが設けられている。
【００５２】
なお、前記吸気路３７、送風機３７０、送風路３２ａ、気化器バイパス経路３３ａ、処分室１２等により、循環手段が構成される。また、符号３８は、麻酔剤タンク３２３に麻酔剤を注入するための麻酔剤注入路であり、経路中には麻酔剤タンク薬剤注入元弁３８０が設けられている。
【００５３】
そして、排気接続口３６０、排気接続口３６１及び前記残気接続口３６２には、図４〜図７、図９〜図１４及び図１６〜図１９に想像線で示しているように、ガス回収装置５を接続することができる。ガス回収装置５は、動物用安楽死処分装置Ａに必要に応じて接続されるものであり、排気接続口３６１にガス回収路５１を接続し、排気接続口３６０にガス送給路５２を接続し、更に、残気接続口３６２にガス返送路５３を接続することにより、麻酔ガスに含まれる麻酔剤を回収することができる。
【００５４】
（作用）
図１乃至図１９を参照して動物用安楽死処分装置Ａの作用を説明する。
動物用安楽死処分装置Ａは、炭酸ガスのみを使用するモード<Ｍ１>、麻酔ガスと炭酸ガスを併用するモード<Ｍ２>及び麻酔ガスのみを使用するモード<Ｍ３>の三種類のモードを切り替えて動物の安楽死処分を行うことができるものである。
【００５５】
まず、動物用安楽死処分装置Ａを構成する動物収容ケージ２に処分対象となる動物を収容し、動物は動物収容ケージ２ごと装置本体１の処分室１２内に収容する。
【００５６】
このように、処分室への動物の収容を段階的に行うようにし、例えばあらかじめ装置本体１とは離れた場所で動物収容ケージ２に動物を収容しておくことで、動物を装置本体１の処分室１２に直接収容する場合と比較して動物が興奮しにくい。これにより、処分室１２への動物の収容作業を容易に行うことができると共に、動物が暴れて作業者が怪我をする危険性を緩和することができる。
【００５７】
また、動物用安楽死処分装置Ａにおいては、処分室１２が装置本体１の下側に位置しているので、動物を収容し、重くなっている動物収容ケージ２の処分室１２内への搬入も比較的容易にできる。
【００５８】
動物用安楽死処分装置Ａの運転を開始する。以下の説明で図４〜図７、図９〜図１４及び図１６〜図１９において、太い線で表した経路がガスの流通が有効に行われる経路であり、この経路中の各弁は開いている。また、細い線で表した経路はガスの流通が停止している経路であり、この経路中の各弁は閉じている。
【００５９】
まず、処分方法を前記各モードＭ１、Ｍ２、Ｍ３から選択する。（ステップＳ１）
これにより前記Ｍ１、Ｍ２、Ｍ３の何れか一つのモードに切り替えられて以下の制御が行われる。
【００６０】
<Ｍ１．炭酸ガスのみで処分するモード>
図３及び図４を参照する（ステップＳ１０１〜ステップＳ１０５）。
【００６１】
（１）炭酸ガス処分開始。（ステップＳ１０１）
（２）処分室用ヒータ１２６：ＯＮ、送風機出口弁３７１：開、とする。（ステップＳ１０２）
（３）制御盤１１のスタートスイッチ：ＯＮ。運転準備開始。（ステップＳ１０３）
【００６２】
（４）均圧調整用弁３４０：開、気化器バイパス弁３３２：開とする。（ステップＳ１０４）
（５）送風機３７０：ＯＮ。（ステップＳ１０５）
【００６３】
これにより、処分室１２内の空気が吸気路３７、送風路３２ａ、気化器バイパス経路３３ａを含む循環経路を通り循環しながら、処分室用ヒータ１２６により加温される。
なお、均圧調整用弁３４０を開けることによって、処分室内圧調整路３４を通して処分室１２内の空気（又は各ガス）の圧力を外気の圧力（大気圧）とほぼ同等の圧力で維持でき、処分室１２内の急激な圧力変動を防止できる。そして、所要時間経過後、運転準備が完了する。
【００６４】
図３及び図５を参照する（ステップＳ１０６〜ステップＳ１０８）。
（６）炭酸ガス注入工程開始。（ステップＳ１０６）
（７）炭酸ガス注入弁３１０：開とする。（ステップＳ１０７）
【００６５】
なお、炭酸ガス供給口３１２には、前記のようにあらかじめ炭酸ガスボンベ４が直接又は間接的に接続されており、炭酸ガス圧力調節弁３１３は、流量が適宜設定されている。処分室１２内に注入された炭酸ガスは、空気と混合されて前記と同様に循環し、処分室１２内の炭酸ガス濃度は徐々に上昇する。そして、処分室１２内の炭酸ガス濃度は、所要時間経過後に動物の処分に対応した所要の濃度となる。
（８）送風機３７０：ＯＦＦ、炭酸ガス注入弁３１０：閉とする。炭酸ガス注入が完了する。（ステップＳ１０８）
【００６６】
図３及び図６を参照する（ステップＳ１０９〜ステップＳ１１０）。
（９）放置工程開始。（ステップＳ１０９）
（１０）均圧調整用弁３４０：閉、気化器バイパス弁３３２：閉、送風機出口弁３７１：閉とする。（ステップＳ１１０）
【００６７】
（１１）放置中。（ステップＳ１１１）
これにより、処分室１２内は、炭酸ガス濃度を所要の濃度で維持した状態で所要の時間放置され、処分室１２内に収容されている動物は安楽死処分される。所要時間経過後、放置が完了する。
【００６８】
図３及び図７を参照する（ステップＳ１１２〜ステップＳ１１９）。
（１２）置換工程開始。（ステップＳ１１２）
（１３）制御盤１１の置換スタートスイッチ：ＯＮ。
均圧調整用弁３４０：開、処分室内吸気弁３３０：開、気化器バイパス弁３３２：開、排気弁３５０：開、送風機出口弁３７１：閉とする。（ステップＳ１１３）
【００６９】
（１４）送風機３７０：ＯＮ。（ステップＳ１１４）
（１５）置換中。
これにより、処分室１２内の炭酸ガスを含む空気は、吸気路３７、ガス排出路３５を通し大気へ放出されるため、処分室１２内は負圧となり、空気供給路３３、送風路３２ａ、気化器バイパス経路３３ａ及び処分室内圧調整路３４を通して処分室１２内へ空気が導入される。これにより、処分室１２内の炭酸ガスは、徐々に空気と置換される。（ステップＳ１１５）
（１６）送風機３７０：ＯＦＦ。（ステップ１１６）
所要時間経過後、置換が完了する。
【００７０】
（１７）均圧調整用弁３４０：閉、処分室内吸気弁３３０：閉、気化器バイパス弁３３２：閉、排気弁３５０：閉とする。（ステップＳ１１７）
送風機３７０を停止した後、一定の時間をおいて処分室１２内等の内圧が大気圧とほぼ均等になってから前記各弁を閉じる。
【００７１】
（１８）送風機出口弁３７１：開とする。（ステップＳ１１８）
（１９）炭酸ガスによる処分完了。（ステップＳ１１９）
【００７２】
<Ｍ２．麻酔ガスと炭酸ガスを併用して処分するモード>
図８及び図９を参照する（ステップＳ２０１〜ステップＳ２０５）。
【００７３】
（１）麻酔ガスと炭酸ガスの併用による処分開始。（ステップＳ２０１）
（２）気化器ヒータ３２８：ＯＮ、処分室用ヒータ１２６：ＯＮ、送風機出口弁３７１：開とする。（ステップＳ２０２）
【００７４】
麻酔剤タンク３２３内には、あらかじめ麻酔剤タンク３２３に麻酔剤注入路３８を通して適宜量の麻酔剤が注入されている。麻酔剤の量は、麻酔剤タンク液面センサ３２４により監視されており、麻酔剤タンク液面計３２９で目視によっても確認することができる。なお、麻酔剤タンク３２３内の麻酔剤の量が規定値に満たないと、所要の濃度の麻酔ガスを生成することができないので、警報が出るようになっている。
【００７５】
（３）制御盤１１のスタートスイッチ：ＯＮ。運転準備工程開始。（ステップＳ２０３）
（４）均圧調整用弁３４０：開、気化器バイパス弁３３２：開とする。（ステップＳ２０４）
（５）送風機３７０：ＯＮ。（ステップＳ２０５）
【００７６】
これにより、処分室１２内の空気が吸気路３７、気化器バイパス経路３３ａを通り循環しながら、処分室用ヒータ１２６により加温される。所要時間後、処分室１２内の空気の温度が設定温度に到達する。なお、麻酔剤タンク３２３内の麻酔剤の温度は、麻酔剤タンク温度センサ３２６により監視され、麻酔剤の気化に好適な所要温度到達後は、麻酔剤タンク温度調節計３２７によって所要の温度範囲で維持される。そして、所要時間経過後、運転準備が完了する。
【００７７】
図８及び図１０を参照する（ステップＳ２０６〜ステップＳ２０８）。
（６）麻酔ガス注入工程開始。（ステップＳ２０６）
（７）気化器入口弁３２１：開とし、気化器出口弁３２２：開とする。（ステップＳ２０７）
【００７８】
これにより、所要の濃度の麻酔ガスが、まず、麻酔ガス供給路３２ｂを通して処分室１２内に注入され、さらに処分室１２、吸気路３７、送風機３７０、送風路３２ａ及び気化器バイパス経路３３ａを循環することにより、麻酔ガスは撹拌され、濃度が平均化される。なお、麻酔ガスは、前記のようにあらかじめ凝縮しにくい温度に加温されており、しかも濃度が平均化しておりムラがないので、処分室１２を含む各経路中においてある程度冷やされても、液化しにくい。所要時間後、麻酔ガス注入が完了する。
（８）気化器入口弁３２１：閉とし、気化器出口弁３２２：閉とする。（ステップＳ２０８）
【００７９】
図８及び図１１を参照する（ステップＳ２０９〜ステップＳ２１０）。
（９）放置工程開始。（ステップＳ２０９）
（１０）均圧調整用弁３４０：閉、気化器バイパス弁３３２：閉、送風機出口３７１：閉とする。（ステップＳ２１０）
これにより、処分室１２内は、麻酔ガス濃度を所要の濃度で維持した状態で所要の時間放置され、処分室１２内に収容されている動物は意識が消失する。所要時間経過後に放置が完了する。
【００８０】
図８及び図１２を参照する（ステップＳ２１１〜ステップＳ２１５）。
（１１）炭酸ガス注入工程開始。（ステップＳ２１１）
（１２）均圧調整用弁３４０：開、気化器バイパス弁３３２：開、送風機出口弁３７１：開とする。（ステップＳ２１２）
（１３）送風機３７０：ＯＮ、炭酸ガス注入弁３１０：開とする。（ステップＳ２１３）
【００８１】
（１４）注入中。（ステップ２１４）
処分室１２内に注入された炭酸ガスは、空気と混合されて吸気路３７、気化器バイパス経路３３ａを通り共に循環し、処分室１２内の炭酸ガスの濃度は徐々に上昇する。なお、均圧調整用弁３４０が開いているので、炭酸ガスは多少は大気へ放出されるが、同時に麻酔ガスも同様に放出されるために、相対的に麻酔ガスの濃度は徐々に下がる。そして、所要時間経過後、処分室１２内の炭酸ガスの濃度が所要の濃度に到達する。
（１５）送風機３７０：ＯＦＦ、炭酸ガス注入弁３１０：閉とする。（ステップＳ２１５）
【００８２】
図８及び図１３を参照する（ステップＳ２１６〜ステップＳ２１７）。
（１６）放置工程開始。（ステップＳ２１６）
（１７）均圧調整用弁３４０：閉、気化器バイパス弁３３２：閉、送風機出口３７１：閉とする。（ステップＳ２１７）
これにより、処分室１２内は、炭酸ガス濃度を所要の濃度で維持した状態で所要の時間放置され、処分室１２内の動物は意識のないまま安楽死処分される。所要時間経過後、放置が完了する。
【００８３】
図８及び図１４を参照する（ステップＳ２１８〜ステップＳ２２５）。
（１８）置換工程開始。（ステップＳ２１８）
（１９）制御盤１１の置換スタートスイッチ：ＯＮ。
均圧調整用弁３４０：開、処分室内吸気弁３３０：開、気化器バイパス弁３３２：開、排気弁３５０：開、送風機出口弁３７１：閉とする。（ステップＳ２１９）
【００８４】
（２０）送風機３７０：ＯＮ。（ステップＳ２２０）
（２１）置換中。
これにより、処分室１２内の炭酸ガスを含む空気は、吸気路３７、ガス排出路３５を通って大気へ放出されるため、処分室１２内は負圧となり、空気供給路３３、送風路３２ａ、気化器バイパス経路３３ａ及び処分室内圧調整路３４を通して処分室１２内へ空気が導入され、炭酸ガス及び麻酔ガスが徐々に空気と置換される。（ステップＳ２２１）
【００８５】
（２２）送風機３７０：ＯＦＦ。（ステップＳ２２２）
所要時間経過後、置換が完了する。
（２３）均圧調整用弁３４０：閉、処分室内吸気弁３３０：閉、気化器バイパス弁３３２：閉、排気弁３５０：閉とする。（ステップＳ２２３）
【００８６】
（２４）送風機出口弁３７１：開とする。（ステップＳ２２４）
（２５）麻酔ガスと炭酸ガスの併用による処分完了。（ステップＳ２２５）
【００８７】
<Ｍ３．麻酔ガスのみで処分するモード>
図１５及び図１６を参照する（ステップＳ３０１〜ステップＳ３０５）。
【００８８】
（１）麻酔ガスによる処分開始。（ステップＳ３０１）
（２）気化器ヒータ３２８：ＯＮ、処分室用ヒータ１２６：ＯＮ、送風機出口弁３７１：開とする。（ステップＳ３０２）
麻酔剤タンク３２３内には、あらかじめ麻酔剤注入路３８を通して適量の麻酔剤が注入されている。麻酔剤の量の制御は、前記麻酔ガスと炭酸ガスの併用による処分における場合と同様に行われる。
（３）制御盤１１のスタートスイッチ：ＯＮ。
運転準備工程開始。（ステップＳ３０３）
（４）均圧調整用弁３４０：開、気化器バイパス弁３３２：開とする。（ステップＳ３０４）
【００８９】
（５）送風機３７０：ＯＮ。（ステップＳ３０５）
これにより、処分室１２内の空気が吸気路３７、気化器バイパス経路３３ａを通り循環しながら、処分室用ヒータ１２６により加温される。なお、麻酔剤タンク３２３内の麻酔剤の温度は、前記麻酔ガスと炭酸ガスを併用するモードの場合と同様に管理される。そして、所要時間経過後、運転準備が完了する。
【００９０】
図１５及び図１７を参照する（ステップＳ３０６〜ステップＳ３０８）。
（６）麻酔ガス注入工程開始。（ステップＳ３０６）
（７）気化器入口弁３２１：開、気化器出口弁３２２：開とする。（ステップＳ３０７）
【００９１】
これにより、所要の濃度の麻酔ガスが、まず、麻酔ガス供給路３２ｂを通して処分室１２内に注入され、さらに処分室１２、吸気路３７、送風路３２ａ及び気化器バイパス経路３３ａを循環することにより、麻酔ガスは撹拌され、濃度が平均化される。なお、麻酔ガスは、あらかじめ凝縮しにくい温度に加温されており、しかも濃度が平均化しておりムラがないので、処分室１２を含む各経路中においてある程度冷やされても、液化しにくい。所要時間後、麻酔ガス注入が完了する。
（８）気化器入口弁３２１：閉、気化器出口弁３２２：閉とする。（ステップＳ３０８）
【００９２】
図１５及び図１８を参照する（ステップＳ３０９〜ステップＳ３１１）。
（９）放置工程開始。（ステップＳ３０９）
（１０）均圧調整用弁３４０：閉、気化器バイパス弁３３２：閉、送風機出口３７１：閉とする。（ステップＳ３１０）
【００９３】
（１１）放置中。
これにより、処分室１２内は、麻酔ガス濃度を動物の処分ができる所要の濃度で維持した状態で所要の時間放置され、処分室１２内に収容されている動物は、まず、意識が消失し、そのまま安楽死処分される。所要時間経過後、放置が完了する。（ステップＳ３１１）
【００９４】
図１５及び図１９を参照する（ステップＳ３１２〜ステップＳ３１９）。
（１２）置換工程開始。（ステップＳ３１２）
（１３）制御盤１１の置換スタートスイッチ：ＯＮ。
均圧調整用弁３４０：開、処分室内吸気弁３３０：開、気化器バイパス弁３３２：開、排気弁３５０：開、送風機出口弁３７１：閉とする。（ステップＳ３１３）
【００９５】
（１４）送風機３７０：ＯＮ。（ステップＳ３１４）
（１５）置換中。
これにより、処分室１２内の麻酔ガスを含む空気は、吸気路３７、ガス排出路３５を通り大気へ放出されるため、処分室１２内は負圧となり、空気供給路３３、送風路３２ａ、気化器バイパス経路３３ａ及び処分室内圧調整路３４を通して処分室１２内へ空気が導入され、徐々に空気と置換される。（ステップＳ３１５）
（１６）送風機３７０：ＯＦＦ。（ステップＳ３１６）
所要時間経過後、置換が完了する。
（１７）均圧調整用弁３４０：閉、処分室内吸気弁３３０：閉、気化器バイパス弁３３２：閉、排気弁３５０：閉とする。（ステップＳ３１７）
【００９６】
（１８）送風機出口弁３７１：開とする。（ステップＳ３１８）
（１９）麻酔ガスによる処分完了。（ステップＳ３１９）
【００９７】
以上、本発明について説明したが、本発明は上記実施形態だけに限定されるものではない。上記実施形態は例示であり、本発明の特許請求の範囲に記載された技術的思想と実質的に同一な構成を有し同様な作用効果を奏するものは、いかなるものであっても本発明の技術範囲に包含される。
【符号の説明】
【００９８】
Ａ  動物用安楽死処分装置
１  装置本体
１０  制御室
１０１  点検蓋
１１  制御盤
１２  処分室
１２０  収容空間
１２１  覗き窓
１２２  調圧口
１２３  天井板
１２４  処分室内温度センサ
１２５  処分室内温度調節計
１２６  処分室用ヒータ
１２７  炭酸ガス導入口
１２８  吸気口
１２９  麻酔ガス導入口
１３  処分室扉
１３０  扉固定具
１３１  パッキン
１４  キャスター
２  動物収容ケージ
２０  ケージ本体
２１  開閉扉
２２  キャスター
２３  上板
３  制御機器
３１  炭酸ガス供給路
３１０  炭酸ガス注入弁
３１２  炭酸ガス供給口
３１３  炭酸ガス圧力調節弁
３２ａ  送風路
３２ｂ  麻酔ガス供給路
Ｃ  気化器
３２１  気化器入口弁
３２２  気化器出口弁
３２３  麻酔剤タンク
３２４  麻酔剤タンク液面センサ
３２５  麻酔剤タンク液面指示計
３２６  麻酔剤タンク温度センサ
３２７  麻酔剤タンク温度調節計
３２８  気化器ヒータ
３２９  麻酔剤タンク液面計
３３  空気供給路
３３ａ  気化器バイパス経路
３３０  処分室内吸気弁
３３２  気化器バイパス弁
３３３  外気導入口
３３４  消音器
３４  処分室内圧調整路
３４０  均圧調整用弁
３５  ガス排出路
３５０  排気弁
３６ａ  ガス回収排出路
３６ｂ  ガス回収強制排出路
３６ｃ  回収残ガス導入路
３６０  排気接続口
３６１  排気接続口
３６２  残気接続口
３７  吸気路
３７０  送風機
３７１  送風機出口弁
３８  麻酔剤注入路
３８０  麻酔剤タンク薬剤注入元弁
３９  ガス放出路
３９０  麻酔剤タンク上部放出弁
４  炭酸ガスボンベ
５  ガス回収装置
５１  ガス回収路
５２  ガス送給路
５３  ガス返送路
【図１】
2013099296.tif 000003
【図２】
2013099296.tif 000004
【図３】
2013099296.tif 000005
【図４】
2013099296.tif 000006
【図５】
2013099296.tif 000007
【図６】
2013099296.tif 000008
【図７】
2013099296.tif 000009
【図８】
2013099296.tif 000010
【図９】
2013099296.tif 000011
【図１０】
2013099296.tif 000012
【図１１】
2013099296.tif 000013
【図１２】
2013099296.tif 000014
【図１３】
2013099296.tif 000015
【図１４】
2013099296.tif 000016
【図１５】
2013099296.tif 000017
【図１６】
2013099296.tif 000018
【図１７】
2013099296.tif 000019
【図１８】
2013099296.tif 000020
【図１９】
2013099296.tif 000021